(57)【特許請求の範囲】
【請求項１】
機械攪拌装置を備えた消化槽において、攪拌機を取り外したとき代替設置される消化槽の消化機能維持装置であって、消化槽内から吸ガス配管を介して消化ガスを吸入し所要圧力まで昇圧するガス圧発生装置と、ガス圧発生装置で昇圧された消化ガスをドラフトチューブ内に導く給ガス配管とを設けることを特徴とする消化槽の消化機能維持装置。
【発明の詳細な説明】
【０００１】
【発明の属する技術分野】
本発明は、下水汚泥等の消化槽において、通常使用されている機械攪拌装置の攪拌機を点検修理等のため一時的に取り外したとき、消化槽の汚泥消化機能を維持するための消化槽の消化機能維持装置に関するものである。
【０００２】
【従来の技術】
下水処理場等では、汚泥の減量、悪臭の防止、脱水効率の改善等のため、汚泥の消化処理が行われることが多い。汚泥の消化処理では、汚泥消化促進のため、消化槽内の汚泥の攪拌が行われる。汚泥の攪拌を行うにはいくつかの手段があるが、液流の向きを上下いずれにも自在に変更できる機械攪拌装置を用いる場合が多くなっている。
【０００３】
機械攪拌装置を用いる場合には、図２に示すように、消化槽１の躯体上部中央に攪拌機２が設置される。攪拌機２は、縦型の攪拌ポンプ４と駆動モータ３とを備えている。また、消化槽１内の中央部にはドラフトチューブ５が設置される。ドラフトチューブ５は、下部の架脚６と上部のタイロッド７で鉛直状態に支持される。
【０００４】
攪拌ポンプ４は軸１３に整流ディスク１４と上段インペラ１５と下段インペラ１６とが設けられており、下段インペラ１６がドラフトチューブ５の上部に、ドラフトチューブ５の内径と下段インペラ１６の外径との間に均一な隙間が形成されるよう芯を合わせて挿入される。
【０００５】
攪拌ポンプ４は、軸１３の回転方向を変更することで、上段インペラ１５と下段インペラ１６とにより、下向流でも上向流でも、どちらも生じさせることができる。
【０００６】
攪拌ポンプ４が、消化槽２内の液をドラフトチューブ５の上端から吸込み下端から吐出して、ドラフトチューブ５内に下向流を生じるように運転されると、ドラフトチューブ５の外側の消化槽５内には上昇流が生じる。
【０００７】
攪拌ポンプ４が、消化槽２内の液をドラフトチューブ５の下端から吸込み上端から吐出して、ドラフトチューブ５内に上向流を生じるように運転されると、ドラフトチューブ５の外側の消化槽５内には下降流が生じる。
【０００８】
このように、消化槽５内に循環流を発生させ、必要に応じて流れの方向を制御することにより、汚泥の消化処理が行われる。
【０００９】
【発明が解決しようとする課題】
攪拌機２は、１槽の消化槽１に対して１基設置されており、通常、設備コストの制約もあって、予備機は備えていない。攪拌機２は、定期的なオーバーホール等の点検修理を行う場合には、消化槽１から取り外さなければならないので、修理期間中は消化槽１内の攪拌が不能になり汚泥消化処理が停止される。下水処理場では、この期間中消化処理をパイパスさせざるを得ないので、処理水質が悪化し、また、消化槽１内の汚泥が腐敗するので、消化槽１内の汚泥を一旦抜き出す等の対策が必要になる。
【００１０】
本発明は、機械攪拌装置を備えた消化槽における上記課題を解決するものであって、点検修理等のために攪拌機を一時的に取り外したとき、代替設置することにより消化槽の汚泥消化機能を維持することのできる簡便な消化槽の消化機能維持装置を提供することを目的とする。
【００１１】
【課題を解決するための手段】
本発明では、機械攪拌装置を備えた消化槽において、攪拌機を取り外したとき代替設置される消化槽の消化機能維持装置として、消化槽内から吸ガス配管を介して消化ガスを吸入し所要圧力まで昇圧するガス圧発生装置と、ガス圧発生装置で昇圧された消化ガスをドラフトチューブ内に導く給ガス配管とを設けることにより上記課題を解決している。
【００１２】
代替設置された消化機能維持装置は、ガス圧発生装置を作動させることにより、消化槽内から吸ガス配管を介して消化ガスをガス圧発生装置に吸入する。吸入した消化ガスは、所要圧力まで昇圧してガス圧発生装置から給ガス配管へ吐出する。吐出された消化ガスは、給ガス配管によってドラフトチューブ内に導かれ、給ガス配管の放出口からドラフトチューブ内に放出される。
【００１３】
給ガス配管の放出口付近の汚泥液は、消化ガスを含んで周囲の汚泥液より比重が小さくなり、ドラフトチューブ内を上昇する。放出口から連続的に消化ガスが放出されると、ドラフトチューブ内には上向流が発生し、消化槽内には循環流が誘起されて汚泥の攪拌が行われるので、汚泥消化機能が維持される。
【００１４】
【発明の実施の形態】
図１は、この発明の実施の一形態である消化機能維持装置を設置した消化槽の全体構成図である。
【００１５】
消化槽１内の中央部にはドラフトチューブ５が設置されている。ドラフトチューブ５は、下部の架脚６と上部のタイロッド７とからなる支持装置で鉛直状態に支持されている。
【００１６】
消化機能維持装置は、機械攪拌装置を備えた消化槽１において、点検修理等を行うため図２の攪拌機２を取り外したとき代替設置されるものであり、消化槽１の躯体上にはガス圧発生装置８が設置されている。消化槽１内の上部からガス圧発生装置８へ吸ガス配管９が敷設され、ガス圧発生装置８からドラフトチューブ内まで給ガス配管１０が敷設されている。給ガス配管１０の下端には放出口１１が開口している。
【００１７】
この消化機能維持装置は、上記の如く簡便な構成であるので、攪拌機２を取り外した後に容易に設置することができる。
ガス圧発生装置８を作動させると、消化槽１内で発生し上部に滞留している消化ガスが、吸ガス配管９を介してガス圧発生装置８に吸入される。吸入された消化ガスは、ガス圧発生装置８で所要圧力まで昇圧されて、ガス圧発生装置８から給ガス配管１０へ吐出される。この消化ガスは、給ガス配管１０によってドラフトチューブ５内に導かれ、給ガス配管１０の放出口１１からドラフトチューブ５内に放出される。
【００１８】
給ガス配管１０の放出口１１付近の汚泥液は、消化ガスを含んで周囲の汚泥液より比重が小さくなり、ドラフトチューブ５内を上昇する。放出口１１から連続的に消化ガスが放出されると、ドラフトチューブ５内には連続的な上向流が発生し、消化槽１内には循環流が誘起されて汚泥の攪拌が行われるので、汚泥消化機能が維持される。従って、消化槽１は、汚泥消化機能を維持したままで、機械攪拌装置の攪拌機の修理作業を実施することができる。
【００１９】
攪拌機の修理作業が終了すれば、消化機能維持装置は撤去して、攪拌機２を再度設置することにより機械攪拌装置を修理前の状態に復帰させる。
このときの消化機能維持装置の撤去作業も極めて容易に行うことができる。
【００２０】
【発明の効果】
以上説明したように、本発明の消化槽の消化機能維持装置は、機械攪拌装置を備えた消化槽において、点検修理等のために攪拌機を一時的に取り外したとき、攪拌機に代替して設置することにより消化槽の汚泥消化機能を維持することができる。
【００２１】
従って、消化槽の汚泥消化処理を停止することなく、攪拌機の修理作業を実施することができる。
【図面の簡単な説明】
【図１】本発明の実施の一形態である消化機能維持装置を設置した消化槽の全体構成図である。
【図２】従来の機械攪拌装置を設置した消化槽の全体構成図である。
【符号の説明】
１      消化槽
２      攪拌機
３      駆動モータ
４      攪拌用ポンプ
５      ドラフトチューブ
６      架脚
７      タイロッド
８      ガス圧発生装置
９      吸ガス配管
１０    給ガス配管
１１    放出口
【図１】
0003961084.tif 000002
【図２】
0003961084.tif 000003